(57)【要約】【課題】簡単な構造で一回に使用する所定量の内容物を収容し、内容物を正確に押出して患部等に注入する注入容器を提供する。【解決手段】押出口１９と貯留部１４が形成され内容物が収容される本体１２と、本体１２の貯留部１４に嵌合され摺動して押出口１９から内容物を押出す押出板３０を有したプッシャー２８を備える。本体１２には、押出板３０の摺動方向に対して略平行に延出するガイド２２を有し、プッシャー２８には、ガイド２２に当接するストッパー４０を備える。ストッパー４０がガイド２２に当接して押出板３０を係止し、ストッパー４０がガイド２２から離れると押出板３０がガイド２２に沿って摺動可能となる。【選択図】図１
2007306975.tif 000002
【特許請求の範囲】
【請求項１】
押出口と貯留部が形成され内容物が収容される本体と、前記本体の貯留部に嵌合され前記押出口側に摺動して前記押出口から前記内容物を押出す押出板を有するプッシャーが設けられている注入容器において、前記本体には、前記押出板の摺動方向に対して略平行に延出するガイドが設けられ、前記プッシャーには、前記ガイドに当接するストッパーが設けられ、前記ストッパーが前記ガイドに当接するとき前記押出板の摺動を止める係止状態となり、前記ストッパーが前記ガイドから離れるとき前記押出板が前記ガイドに沿って摺動可能となる押出状態となり、前記係止状態と前記押出状態は、前記プッシャーを前記本体に対して前記押出板の摺動方向を軸とする軸周りに回転することにより切り替えられることを特徴とする注入容器。
【請求項２】
前記貯留部は前記押出口が一端部に形成された円筒形であり、前記貯留部の前記押出し口と反対側の端部にはフランジ部が連続して設けられ、前記フランジ部は前記貯留部を中心とする略長丸形に形成され、前記フランジ部の長径方向の一対の端部には前記ガイドが互いに対向して延出し、前記一対のガイドは延出方向に一定の形状で延出方向に対して略直角方向の断面形状は一つの円の円周に沿ったものであり、一対の前記ガイドの内側には前記プッシャーの前記押出板に一体に設けられ前記ガイドの内側面に嵌合される円板状の押圧部が摺動可能に設けられ、前記押圧部には前記ガイドに沿って設けられた一対の前記ストッパーが設けられ、前記ストッパーが前記ガイド近傍に位置するとき前記ストッパーは前記フランジ部の長径方向の端部付近に当接して係止状態となり、前記押圧部を回転させて前記ストッパーを前記ガイドから離したとき前記ストッパーは前記フランジ部の短径方向の端部から僅かに外側に離れて押出状態となり、前記押圧部を前記本体の貯留部に向かって押すと前記押圧部が前記ガイドの内側面に沿って摺動することを特徴とする請求項１記載の注入容器。
【請求項３】
前記ガイドの延出方向の端縁部には係止部が設けられ、前記押圧部は前記係止部に係止されて前記ガイドの内側面からの抜け落ちを防ぐことを特徴とする請求項１又は２記載の注入容器。
【請求項４】
前記ガイドの延出方向の端縁部と、前記押圧部は、略面一となることを特徴とする請求項１又は２記載の注入容器。
【請求項５】
前記プッシャーの押圧部に形成されたストッパーは、押し出しに際して前記フランジ部の短径方向の端部に摺動可能に接触し、前記プッシャーの移動をガイドすることを特徴とする請求項１又は２記載の注入容器。
【発明の詳細な説明】
【技術分野】
【０００１】
この発明は、流動可能な医薬品や化粧品、食品その他の流動性材料を一定量収容し、内容物を押出し可能な注入容器に関する。
【背景技術】
【０００２】
従来、液体の医薬品や化粧品、食品その他の流動性材料を収容する定量押出容器がある。定量押出容器には、一回の使用量を収容して一回で押出す使い捨てタイプの注入容器がある。例えば、痔の治療に使用される軟膏などのクリーム状の薬剤を、肛門から注入する注入容器があり、これはチューブ状や球状の容器を潰すことで薬剤を注出口から絞り出して肛門内へ注入するものである。また、注入量を正確に測る注射器形の容器もあった。
【０００３】
肛門に注入する薬剤以外に、いろいろな注入容器がある。例えば特許文献１には、粘度が高い薬剤を注入する薬剤押出用保持器具が開示されている。これは、粘度の高い薬剤を収容する器具本体と、器具本体に挿入されるピストンと、前記ピストンを押圧するハンドル部と、このハンドル部に立設された押圧体が設けられている。そして、器具本体と押圧体が螺合されて、薬剤押出用保持器具が形成されている。収容している薬剤を押出すときは、押圧体を回転してピストンを器具本体に挿入し、器具本体に収容された薬剤を押出す。
【０００４】
また特許文献２には、栄養剤溶液などの輸液、制癌剤、鎮痛剤等の薬剤を、体内に一定の速度及び流量で注入するための薬液持続注入器が開示されている。
【特許文献１】特開２００１−１０４３２４号公報
【特許文献２】特開２００３−１９０２８１号公報
【発明の開示】
【発明が解決しようとする課題】
【０００５】
上記従来の技術の、チューブ状や球状の容器では、絞り方によって押出す薬剤の量が変化し、一定量の薬剤を肛門に注入することが難しかった。このため、薬剤の過量の摂取による副作用や過少量での効能の低下などの問題があり、使用できない薬剤があった。また、注入量を正確に保つ注射器形は、構造が複雑でコストが高いものであった。また、特許文献１の薬剤押出用補助器具、特許文献２の薬液持続注入器も、部品が３個以上必要であり、複雑でコストが高いものであった。
【０００６】
この発明は、上記従来の技術の問題点に鑑みてなされたものであり、簡単な構造で一回に使用する所定量の内容物を収容し、内容物を正確に押出して患部等に注入する注入容器を提供することを目的とする。
【課題を解決するための手段】
【０００７】
本発明は、押出口と貯留部が形成され内容物が収容される本体と、前記本体の貯留部に嵌合され前記押出口側に摺動して前記押出口から前記内容物を押出す押出板を有するプッシャーが設けられている注入容器であり、前記本体には、前記押出板の摺動方向に対して略平行に延出するガイドが設けられ、前記プッシャーには、前記ガイドに当接するストッパーが設けられている。前記ストッパーが前記ガイドに当接するとき前記押出板の摺動を止める係止状態となり、前記ストッパーが前記ガイドから離れるとき前記押出板が前記ガイドに沿って摺動可能となる押出状態となり、前記係止状態と前記押出状態は、前記プッシャーを前記本体に対して前記押出板の摺動方向を軸とする軸周りに回転することにより切り替えられる注入容器である。この注入容器は、一定量の内容物が入れられ、一回の押出し操作でほぼ全量を押出し、一回の使用量を正確に得ることができる。
【０００８】
また、前記貯留部は前記押出口が一端部に形成された円筒形であり、前記貯留部の前記押出口と反対側の端部にはフランジ部が連続して設けられている。前記フランジ部は前記貯留部を中心とする略長丸形に形成され、前記フランジ部の長径方向の一対の端部には前記ガイドが互いに対向して延出し、前記一対のガイドは延出方向に一定の形状で延出方向に対して略直角方向の断面形状は一つの円の円周に沿ったものである。一対の前記ガイドの内側には、前記プッシャーの前記押出板に一体に設けられ前記ガイドの内側面に嵌合される円板状の押圧部が摺動可能に設けられ、前記押圧部には前記ガイドに沿って設けられた一対の前記ストッパーが設けられている。前記ストッパーが前記ガイド近傍に位置するとき前記ストッパーは前記フランジ部の長径方向の端部付近に当接して係止状態となり、前記押圧部を回転させて前記ストッパーを前記ガイドから離したとき前記ストッパーは前記フランジ部の短径方向の端部から僅かに外側に離れて押出状態となる。そして、前記押圧部を前記本体の貯留部に向かって押すと、前記押圧部が前記ガイドの内側面に沿って摺動する。
【０００９】
また、前記ガイドの延出方向の端縁部には係止部が設けられ、前記押圧部は前記係止部に係止されて前記ガイド内側面からの抜け落ちを防いでいる。前記ガイドの延出方向の端縁部と、前記押圧部は、略面一となっている。前記プッシャーの押圧部に形成されたストッパーは、押し出しに際して、前記フランジ部の短径方向の端部に摺動可能に接触し、前記プッシャーの移動をガイドするものである。
【００１０】
さらに、前記プッシャーのストッパーが、前記フランジ部に当接した係止状態と、前記ストッパーを前記ガイドから離した押出可能状態とで、前記プッシャーの回動位置を決める位置決め部を備えている。
【発明の効果】
【００１１】
本発明の注入容器は、簡単な構造で一回の使用量の内容物を収容し、確実に全量を押し出して一回の使用適量を得ることができる。しかも、保管や運搬をする際には、確実にストッパーにより制限され誤作動がなく、使用するときは簡単な操作で内容物を取り出すことができる。
【発明を実施するための最良の形態】
【００１２】
以下、この発明の実施形態について図面に基づいて説明する。図１〜図４はこの発明の一実施形態を示すもので、この実施形態の注入容器１０は、内容物である薬剤を収容する本体１２が設けられている。本体１２には、円筒形の貯留部１４が形成され、貯留部１４の一方の端部１４ａは上面部１６で閉鎖されている。上面部１６の中央には、貯留部１４の中に連通する細い円筒形のノズル１８が一体に設けられている。ノズル１８は先端側がテーパ状に径が細くなり、先端の開口部が貯留部１４に連通した押出口１９となっている。
【００１３】
貯留部１４の他方の端部１４ｂには、フランジ部２０が連続して一体に設けられている。フランジ部２０は、貯留部１４を中心とする長丸状に形成され、フランジ部２０の短径方向に位置する一対の端部２０ａは、貯留部１４の端部１４ｂの近傍に位置している。一方、フランジ部２０の長径方向に位置する一対の端部２０ｂは、貯留部１４の端部１４ｂから所定距離はなれて位置している。
【００１４】
フランジ部２０の端部２０ｂに連続して、各々ガイド２２が形成されている。一対のガイド２２は、貯留部１４の軸方向に平行に、貯留部１４と反対方向に延出する板体であり、互いに対向して設けられている。ガイド２２は延出方向に一定の形状であり、延出方向に対して略直角方向の断面形状は、一つの円の円周に沿って外側に湾曲している。ガイド２２の、フランジ部２０と反対の端縁部２２ａは、フランジ部２０の端部２０ｂと平行である。ガイド２２の延出方向の長さは、貯留部１４の軸方向の長さとほぼ等しい。
【００１５】
ガイド２２の互いに対向する内側面２２ｂには、端縁部２２ａよりも少し上に、係止部２４が形成され、係止部２４は端縁部２２ａに平行に一定の断面形状で設けられている。係止部２４の端縁部２２ａに平行な方向の中間付近には、ガイド２２の突出方向に沿う位置決めリブ２６が連続して設けられ、位置決めリブ２６の上部分はフランジ部２０に達している。位置決めリブ２６は、ガイド２２の延出方向に一定の形状であり、ガイド２２の内側面２２ｂからの高さは係止部２４とほぼ等しい。
【００１６】
本体１２の貯留部１４と一対のガイド２２の内側には、プッシャー２８が設けられている。プッシャー２８には、図４に示すように本体１２の貯留部１４の内周面に摺動可能に嵌合される円板形の押出板３０が設けられている。押出板３０の、貯留部１４と反対側の面３０ａの中心には、支持部３２が設けられている。支持部３２は、押出板３０の外面３０ａから直角に形成されてガイド２２に対して平行に延出している。支持部３２は延出方向に一定の形状であり、延出方向に対して略直角方向の断面形状は、放射方向に十字形に形成されている。
【００１７】
支持部３２の、押出板３０と反対の端部には、押圧部３４が一体に形成されている。押圧部３４は、一対のガイド２２の内側面２２ｂに摺動可能に嵌合される円板形であり、押出板３０に対して平行に、即ちガイド２２の延出方向に対して略直角に設けられている。押圧部３４の周縁部３４ａには、互いに等間隔の４箇所に、即ち中心から互いに９０度離れた位置に、位置決め溝３６が形成されている。位置決め溝３６は、周縁部３４ａを切り欠いたくぼみであり、押圧部３４の厚み方向に貫通して形成されている。
【００１８】
押圧部３４の、支持部３２と反対側の側面３４ｃには、操作部３８が形成されている。操作部３８は、支持部３２の延出方向に平行に突出し、押圧部３４の周縁部３４ａに沿って一周して形成されている。操作部３８の側周面には波形の凹凸が連続して形成されている。操作部３８の、押圧部３４と反対側の先端部は、ガイド２２の端縁部２２ａとほぼ面一に形成されている。
【００１９】
押圧部３４の貯留部１４側の側面３４ｂには、一対のガイド２２の内側に位置するストッパー４０が設けられている。ストッパー４０は、押圧部３４の周縁部３４ａに形成された互いに直径方向に位置する一対の位置決め溝３６近傍に設けられている。つまり一対の位置決め溝３６はストッパー４０の中心付近に位置し、その他の一対の位置決め溝３６は、一対のストッパー４０の間の空間のほぼ中間付近に位置している。一対のストッパー４０は、ガイド２２に対して平行に、押出板３０に向かって延出する板体であり、互いに対向して設けられている。ストッパー４０は、延出方向に一定の形状であり、延出方向に対して略直角方向の断面形状は、押圧部３４よりも小さくフランジ部２０の短径方向の長さよりも大きい一つの円の円周に沿って外側に湾曲している。ストッパー４０の延出方向の長さは、ガイド２２の延出長さよりも僅かに小さく、ストッパー４０の先端部４０ａは、本体１２フランジ部２０に近傍に達している。
【００２０】
また、本体１２のノズル１８には、着脱可能なキャップ４２が設けられている。キャップ４２は、本体１２のノズル１８先端部を覆う円筒形の側面４２ａを有し、側面４２ａの外側面には、操作する際の滑り止めとなる波形の凹凸が連続して形成されている。側面４２ａの上端部には円形の上面部４２ｂが設けられている。キャップ４２ｂ内側には、ノズル１８の押出口１９に差し込まれる挿通突起４４が形成されている。キャップ４２は柔軟な素材で作られ、ノズル１８に密着し内容物がこぼれたりすることを防ぐ。
【００２１】
次に、この実施形態の注入容器１０の使用方法について説明する。まず、本体１２のガイド２２内側にプッシャー２８を取り付ける。このとき、プッシャー２８の押出板３０を、本体１２の貯留部１４端部１４ｂの内側に嵌合し、押圧部３４を一対のガイド２２の端縁部２２ａの間に嵌合する。押圧部３４の入れ方は、まず一対のガイド２２を外側に僅かに弾性変形させて、ガイド２２の内側面２２ｂの係止部２４を乗り越えさせ内側に入れる。この状態で、ガイド２２は、弾性変形が元に戻る。これにより、押圧部３４の周縁部３４ａは係止部２４に係止され、抜け落ちを防ぐ。
【００２２】
この後、プッシャー２８の一対のストッパー４０を、本体１２の一対のガイド２２の内側にセットし、ストッパー４０の先端部４０ａは、フランジ部２０の端部２０ｂ近傍に位置させ、押圧部３４の移動を止めて係止状態とする。このときストッパー４０近傍の位置決め溝３６に、ガイド２２の位置決めリブ２６が嵌合され、位置決めされる。次に、本体１２の貯留部１４に押出口１９から痔の治療用の軟膏や解熱鎮痛剤などの薬剤を入れ、本体１２のノズル１８にキャップ４２を取り付け、密封する。
【００２３】
薬剤を取り出して使用するときは、まず本体１２からキャップ４２を外す。そしてプッシャー２８を、支持部３２を中心軸として軸周りにほぼ９０度回転させる。このときプッシャー２８の操作部３８を指で回転させる。すると、プッシャー２８のストッパー４０がガイド２２から離れ、一対のガイド２２の間の空間に位置し、フランジ部２０の短径方向の端部２０ａの下に位置する。フランジ部２０の端部２０ａは、ストッパー４０よりも内側に位置するため、ストッパー４０がフランジ部２０に当接せず、押圧部３４が自由に移動する押出可能状態となる。このときストッパー４０以外の位置に形成された位置決め溝３６に、ガイド２２の位置決めリブ２６が嵌合され、位置決めされる。
【００２４】
そして、押圧部３４を貯留部１４側に押し込み、押圧部３４の周縁部３４ａがガイド２２の内側面２２ｂを摺動して移動する。このとき、押圧部３４のストッパー４０以外の位置に形成された位置決め溝３６が、ガイド２２の位置決めリブ２６に沿って摺動するため、軸回りに回転することなく、正確に直進する。また、ストッパー４０はフランジ部２０の端部２０ａに摺動可能に接触するため、横方向の移動を防ぎ、円滑に直進する。これに伴い、押出板３０が貯留部１４内を端部１４ｂから端部１４ａへ移動し、貯留部１４内の内容物である薬剤をノズル１８の押出口１９から外側に押出す。押出板３０が端部１４ａに当接して押し出しが終わったとき、薬剤の一回分の使用量が正確に押し出される。ノズル１８の内側に薬剤が残るが、この量は定量であるので体内に注入される量は正確に定量となるので、あらかじめ残量を考慮して薬剤を収容するとよい。薬剤が軟膏である場合は、ノズル１８を肛門に差し込んで押出すことにより、肛門の中に容易に薬剤を注入することができる。使用後は注入容器１０を廃棄処分し、使い捨てとする。
【００２５】
この実施形態の注入容器１０は、簡単な構造と簡単な操作で、確実に一回の使用量の内容物を取り出し、正確に使用することができる。過量の摂取や過少量での効能の低下等の問題が起きることが無く安全で効果的な作業や治療が可能である。保管や運搬をする際には、プッシャー２８は、ストッパー４０により押し込み方向に移動が規制されている係止状態とされ、使用前に外れたり、抜けたり、あるいは押出してしまうことがなく、安全である。内容物を取り出す際には、プッシャー２８を軸周りに回転させるだけで、簡単に押出状態に切り替えることができる。そして、プッシャー２８はガイド２２と貯留部１４により横方向の移動が規制されているため、プッシャー２８を押し込むとき、傾くことが無くスムーズに移動させることができる。プッシャー２８は、係止部２４で抜け方向に規制され、抜け落ちる恐れがない。また、プッシャー２８の操作部３８とガイド２２の端縁部２２ａは略面一であり、プッシャー２８に不用意な負荷が加わっても、ガイド２２から外れたり抜けたり、あるいは押出してしまうことがなく、安全である。プッシャー２８には、係止状態または押出状態のとき、それぞれ本体１２の位置決めリブ２６が嵌合される位置決め溝３６が設けられているため、容易に所定の位置で止めることができ、使いやすく誤使用の心配がない。また構造が簡単で安価なため、使い捨てにすることができる。
【００２６】
なお、この実施形態の注入容器は上記実施の形態に限定されるものではなく、素材や形状、各部材の形状など自由に変更可能である。また、用途は肛門に注入する軟膏等の薬剤以外の薬品や化粧品、その他液体を収容して一定量を取り出すものであればよく、上記実施形態には限定されない。
【図面の簡単な説明】
【００２７】
【図１】この発明の一実施形態の注入容器の係止状態を示す斜視図である。
【図２】この実施形態の注入容器の押出状態を示す斜視図である。
【図３】この実施形態の注入容器の押出し後の状態を示す斜視図である。
【図４】この実施形態の注入容器の係止状態を示す縦断面図である。
【符号の説明】
【００２８】
１０  注入容器
１２  本体
１４  貯留部
１８  ノズル
１９  押出口
２０  フランジ部
２２  ガイド
２４  係止部
２６  位置決めリブ
２８  プッシャー
３０  押出板
３４  押圧部
３６  位置決め溝
３８  操作部
４０  ストッパー
４２  キャップ
【図１】
2007306975.tif 000003
【図２】
2007306975.tif 000004
【図３】
2007306975.tif 000005
【図４】
2007306975.tif 000006